(57)【要約】【課題】  窓枠ユニットの交換を行うにあたって、交換作業を容易に、効率よく行う。【解決手段】  保持板５６を本体基部５の前方に突出せる第１位置にスライド移動させる。支持部材１５の両側面に設けられた挿入部材２１を保持板５６の保持部６０に合わせて挿入部材２１を挿入することで、窓枠ユニット６は保持板５６に保持される。窓枠ユニット６を収容部５０に押し込むと、保持板５６が本体基部５の後方に突出する第２位置にスライド移動する。支持部材１５及び遊技盤１７に設けられた係止穴５２と収容部５０に設けられた係止部材５３を係合させると、窓枠ユニット６が本体基部５に固定される。これにより、窓枠ユニット６を保持板５６に保持させた状態で第１位置と第２位置に移動されるので、窓枠ユニット６の交換作業が容易に、かつ効率よく行うことができる。【選択図】        図５
2006034713.tif 000002
【特許請求の範囲】
【請求項１】
遊技媒体が打ち出される遊技領域を有する遊技盤を支持する支持部材、及び前記支持部材に開閉自在に設けられ、前記遊技領域を覆う窓枠からなる窓枠ユニットと、
前記窓枠ユニットが着脱自在に取り付けられる本体基部と、を備えた遊技機において、  前記本体基部に、その前後方向に移動自在に設けられ、前記窓枠ユニットを保持する保持部を有した保持部材と
前記窓枠ユニットを前記本体基部に固定する固定手段とを備え、
前記保持部材を前記本体基部の前方に移動させて、前記保持部材を前記本体基部の前方に突出させた状態にし、この保持部材の保持部に前記窓枠ユニットを保持させた後、前記保持部材を後方に移動させて、前記保持されている窓枠ユニットを前記固定手段によって前記本体基部に固定することを特徴とする遊技機。
【請求項２】
前記本体基部の前方に向かって前記保持部材を付勢する付勢部材を備えたことを特徴とする請求項１記載の遊技機。
【発明の詳細な説明】
【技術分野】
【０００１】
本発明は、パチンコ店などの遊技場に設置されている遊技機に関するものである。
【背景技術】
【０００２】
遊技機の一つであるパチンコ機はパチンコ店などの遊技場に設置されている。一般にパチンコ機を含む遊技機は、パチンコ球が打ち出される遊技領域を前面に有した遊技盤が着脱自在に取り付けられ、かつ遊技領域を視認可能にするガラス窓を有した窓枠が開閉自在に取り付けられた本体基部を備えている。遊技盤の背面には遊技に関わる制御を行う制御回路装置や、パチンコ球の通路などが取り付けられており、遊技性の異なるパチンコ機の機種交換が行われる際には、遊技場で新たな機種のパチンコ機と設置中の古い機種のパチンコ機とが本体基部ごと全て交換されるか、または、遊技盤のみが交換される。
【０００３】
ところで、パチンコ機は機種に関わらず、多くの共通部品が使用されている。そのため、本体基部ごと交換してしまうと共通部品をリユースできなくなり、機種交換に伴うコストが高くなってしまう。また、遊技盤のみを交換した場合には、パチンコ機の外観のデザインに変化がないため、外観から新しい機種のイメージが遊技者に伝わりにくく、アピール性が乏しい。よって、遊技盤及び窓枠と、これら遊技盤及び窓枠を保持する保持枠とを１つのユニットとした窓枠ユニットを設け、この窓枠ユニットを本体基部に着脱自在に取り付けられる構成にし、パチンコ機を新しい機種に交換する場合には、窓枠ユニットごと交換するものがある。
【発明の開示】
【発明が解決しようとする課題】
【０００４】
しかしながら、窓枠ユニットを構成する遊技盤の背面には、前述のように制御回路装置や、パチンコ球の通路などが設けられている。さらに、窓部には遊技者が遊技盤の遊技領域や電子機器に触れることができないようにガラスが嵌め込まれているので、窓枠ユニットの重量も重い。そのため窓枠ユニットを本体基部に着脱させる作業は、作業者にとって負担が大きい。また、交換作業時に作業者が誤って窓枠ユニットを落下させてしまうと、窓枠ユニットの破損の原因となるばかりか作業者の怪我の原因や、作業効率の低下の原因となる。
【０００５】
本発明は、上記問題を解決するために、遊技機を新しい機種に交換する際に窓枠ユニットの交換作業を容易、かつ、効率よく行える遊技機を提供することを目的とする。
【課題を解決するための手段】
【０００６】
本発明の遊技機は、遊技媒体が打ち出される遊技領域を有する遊技盤を支持する支持部材、及び前記支持部材に開閉自在に設けられ、前記遊技領域を覆う窓枠からなる窓枠ユニットと、前記窓枠ユニットが着脱自在に取り付けられる本体基部と、を備えた遊技機において、  前記本体基部に、その前後方向に移動自在に設けられ、前記窓枠ユニットを保持する保持部を有した保持部材と前記窓枠ユニットを前記本体基部に固定する固定手段とを備え、前記保持部材を前記本体基部の前方に移動させて、前記保持部材を前記本体基部の前方に突出させた状態にし、この保持部材の保持部に前記窓枠ユニットを保持させた後、前記保持部材を後方に移動させて、前記保持されている窓枠ユニットを前記固定手段によって前記本体基部に固定するものである。また、前記本体基部の前方に向かって前記保持部材を付勢する付勢部材を備えてもよい。
【発明の効果】
【０００７】
本発明によれば、保持部材を本体基部の前方に移動させて、保持部材を本体基部の前方に突出させて窓枠ユニットを保持させた後、この保持部材を後方に移動させて、窓枠ユニットを固定手段によって本体基部に固定するようにしたので、遊技機を新しい機種に交換する際に窓枠ユニットの交換作業を容易に効率よく行えるから作業性が向上する。また、交換作業を行う際に作業者の負担が減るとともに安全に作業を行うことができる。
【０００８】
また、本体基部の前方に向かって保持部材を付勢する付勢部材を備えたので、固定手段による固定を解除するだけで、本体基部に固定されていた窓枠ユニットが本体基部の前方に突出する位置に自動的に移動するので、作業者への負担を低減させるとともに、作業者が窓枠ユニットを引っ張り出す必要がなくなり作業性が向上する。また、窓枠ユニットが本体基部から突出した位置で保持部材によって保持されているので、遊技盤の背面等の各種装置などのメンテナンスが容易に行える。
【発明を実施するための最良の形態】
【０００９】
以下、第１の実施形態について説明する。本実施形態では、遊技媒体としてパチンコ球を用いているが、遊技媒体としては、メダルやその他の媒体も含む。また、遊技盤面に設けられた入賞口にパチンコ球が入ることを入賞とする。
【００１０】
図１は本発明を用いたパチンコ機の外観斜視図である。遊技機であるパチンコ機２は、本体基部５、窓枠ユニット６、受部ユニット７から構成されている。本体基部５は、パチンコ店などの遊技場の設置場所に固定されており、パチンコ機２を新しい機種に入れ替える際には、設置場所に据え置かれる。本体基部５は、上部と下部の２つに区画された矩形の枠形状に形成されており、上部には窓枠ユニット６が、下部には受部ユニット７が取り付けられる。      
【００１１】
受部ユニット７には、遊技の際に打ち出すパチンコ球の強さを調整するために回転操作されるハンドル８、パチンコ球を受容する受け皿９、遊技によって入賞した際に賞球を受け皿９に払い出す払出し口１０が設けられている。
【００１２】
窓枠ユニット６は、図２にも示すように、支持部材１５、窓枠１６、遊技盤１７から構成されている。支持部材１５は、矩形の枠形状に形成されており、その前面側からは開口１５ａを塞ぐように遊技盤１７が取り付けられる。さらに、支持部材１５の一方の側面には、窓枠１６がヒンジ２０によって開閉自在に取り付けられる。さらに、支持部材１５の両側面には、側面から突出し、かつ側面の長辺に沿って延設された挿入部材２１が設けられている。詳しくは後述するが、この挿入部材２１は、窓枠ユニット６を本体基部５に着脱自在に取り付ける際に用いられる。
【００１３】
遊技盤１７の前面には、ガイドレール２５で囲まれた遊技領域２６が形成されている。遊技領域２６の中央には、図柄表示装置２７が設けられており、その周囲には始動入賞口２８、通常入賞口２９、アタッカ３０、アウト口３１などが設けられている。ハンドル８の操作によって遊技領域２６に打ち出されたパチンコ球は、遊技領域２６内を流下する際に始動入賞口２８、通常入賞口２９、アタッカ３０等の所定の入賞口に入賞するか、あるいはアウト口３１から回収される。また、図示しないが遊技盤１７の背面には、パチンコ球の通路、メイン制御基盤、サブ制御基盤等が取り付けられている。なお、パチンコ機２における障害釘、風車などの構造物は、周知であるので図示及び説明は省略する。また、遊技盤１７には、遊技領域２６の外側に遊技盤１７を支持部材１５に取り付ける際に、支持部材１５に設けられた係止部材３５を挿入させる係止穴３６が設けられている。
【００１４】
窓枠１６は、ガラスが嵌め込まれたガラス窓３７を有している。窓枠１６が支持部材１５の前面を閉じた状態のときには、ガラス窓３７を通して遊技盤１７の遊技領域２６が視認可能となる。窓枠１６の前面には、適当な色の透明な装飾ランプカバー３８（図１参照）が設けられている。各装飾ランプカバー３８の背後には、それぞれ１個以上の装飾ランプ（図示せず）が配されている。これらの装飾ランプは、演出効果のために、入賞の有無や、入賞による抽選結果などの状態に応じて所定のパターンで点灯、点滅を行う。窓枠１６のヒンジ２０が設けられている側面の反対側には、窓枠１６が支持部材１５の前面を閉じた場合に、支持部材１５に設けられた突起４０と係合するフック４１を備えたロック部材４２が設けられている。このロック部材４２は、窓枠１６の前面に設けられた鍵穴４３（図１参照）に鍵を差込み、回転操作を行うことによって上下に移動して、突起４０とフック４１の係合又は係合解除を行う。
【００１５】
図３に示すように、本体基部５の上部には、窓枠ユニット６の遊技盤１７と支持部材１５が収容される収容部５０が設けられている。収容部５０は、支持部材１５の背面が当接する縁枠５１が設けられている。縁枠５１には、固定手段である係止部材５３とスライド装置５５が設けられている。係止部材５３は、支持部材１５及び遊技盤１７に設けられた係止穴５２（図２参照）に挿入され、窓枠ユニット６を本体基部５に固定する。スライド装置５５は、収容部５０の両側面に互いに対向するように設けられており、後述するスライド装置を構成している保持部材である保持板５６に、窓枠ユニット６を保持させ、本体基部５の前後方向に窓枠ユニット６をスライド移動させる。
【００１６】
図４にも示すように、スライド装置５５は、保持板５６、ローラ５７、付勢手段である捩りバネ５８、カバー５９から構成されている。保持板５６は、収容部５０内の両側に互いに対向するように配置されている。そして、保持板５６の内側面で、かつ本体基部５の前面側の端部には、鉛直方向に形成された溝形状の保持部６０が互いに対向するように形成されている。さらに、保持部６０が形成されている同一面には、保持部６０と直交する水平方向に溝形状のスライドレール６２が互いに対向するように形成されている。このスライドレール６２は、保持板５６を本体基部５の前後方向にスライド移動させるためのものである。このスライドレール６２には、ローラ５７が配置されており、ローラ５７の回転軸５７ａは縁枠５１に設けられた軸受６３に挿入されている。よって、ローラ５７の回転によって保持板５６は、本体基部５の前方に突出する第１位置と本体基部５の後方に突出する第２位置の間でスライド移動自在となる。なお、詳しくは後述するが、保持板５６が第１位置にある場合には、挿入部材２１と保持部６０によって窓枠ユニット６は、保持板５６に着脱自在に取り付けられる。また、保持板５６が第２位置にある場合には、窓枠ユニット６が係止部材５３よって本体基部５に固定される。
【００１７】
また、本体基部５の背面には、第２位置に移動した保持部材５６を収納するカバー５９が設けられている。このカバー５９内には、保持板５６を第２位置から第１位置に向かって付勢する捩りバネ５８が設けられている。そのために、第１位置から第２位置にスライド移動した保持板５６は、捩りバネ５８によって常に第１位置方向に付勢されている。
【００１８】
図５及び図６を用いて窓枠ユニット６を本体基部５に固定する場合を説明する。ヒンジ２０を介して窓枠１６を支持部材１５に開閉自在に取り付ける。そして、支持部材１５の係止爪３５と遊技盤１７の係止孔３６を係合させて、遊技盤１７を支持部材１５に固定させる。これにより、窓枠ユニット６となる。
【００１９】
本体基部５に窓枠ユニット６が固定されていない場合には、保持板５６は捩りバネ５８の付勢力によって、本体基部５の前面方向に突出した第１位置に配置されている。この第１位置で、支持部材１５に設けられた挿入部材２１を保持板５６の保持部６０に挿入する。これにより、窓枠ユニット６は、本体基部５から前方に突出した状態で保持板５６に保持される。
【００２０】
そして、第１位置で保持された窓枠ユニット６を収容部５０内に押し込んでいくと、図６に示すように、保持板５６が第１位置から第２位置にスライド移動することにより、窓枠ユニット６は本体基部５の収容部５０に収容される。この時、支持部材１５及び遊技盤１７に設けられた係止穴５２と、収容部５０に設けられた係止部材５３の位置は対応しており、保持板５６が第２位置までスライド移動した際には、係止解除状態（図５参照）の係止爪５３が係止穴５２に挿入する。そして、支持部材１５及び遊技盤１７の前面に露呈した係止部材５３を回転させることで、係止部材５３と係止穴５２が係合状態（図６参照）となり、窓枠ユニット６は本体基部５に固定される。そして、窓枠１６が閉められると、支持部材１５に設けられた突起４０と窓枠１６に設けられたロック部材４２が係合して窓枠１６がロックされる（図１参照）。
【００２１】
次に、上記構成による本実施形態の作用を説明する。パチンコ店に設置されているパチンコ機２を新しい機種に入れ替える場合には、パチンコ機２の前面に設けられた鍵穴４３に鍵（図示せず）を差込み、回転操作を行うことで窓枠１６を開く（図６参照）。次に、窓枠ユニット６の支持部材１５の上部２箇所及び、遊技盤１７の左下部１箇所に設けられた係止部材５３を回転させ、係止状態から係止解除状態にする。これにより、窓枠ユニット６と本体基部５の固定が解除される。本体基部５と窓枠ユニット６の固定が解除されると、窓枠ユニット６を保持している保持板５６は、捩りバネ５８の付勢力によって第２位置から第１位置に向かってスライド移動する。これにより、窓枠ユニット６は、第１位置に配置されるので、窓枠ユニット６や遊技盤１７を取り外すことなく遊技盤１７の背面に設けられた各種制御回路装置等の点検や、メンテナンスを行うことができる。  
【００２２】
第１位置に配置された窓枠ユニット６は、挿入部材２１が保持部６０から引き抜かれることで、保持板５６から取り外される。そして、新しい機種の窓枠ユニット６の挿入部材２１を保持部６０に合わせて挿入させ、窓枠ユニット６を保持板５６に保持させる。そして、保持板５６に保持された窓枠ユニット６を捩りバネ５８の付勢力に抗して収容部５０内に押し込む。これにより、保持板５６は第１位置から第２位置へとスライド移動を行う。第２位置では、新たに装着された窓枠ユニット６の支持部材１５及び遊技盤１７に設けられた係止穴５２と収容部５０に設けられた係止部材５３を係止させ、窓枠ユニット６を本体基部５に固定する。その後、支持部材１５の前面を覆うように窓枠１６を閉じることで、新しい機種への入れ替え作業が容易に、効率よく行うことができる。
【００２３】
次に、図７を用いて第２の実施形態について説明する。なお、第１の実施形態と同様の構成部材については同一符号を付し、その詳細な説明は省略する。パチンコ機２の本体基部５に設けられたスライド装置７０は、保持部材７１、ローラ５７から構成されている。保持部材７１は、両側板７１ａとこれらをつなぐ背板７１ｂとで略コの字形状をしており、開放部分が本体基部５の前面側を向いている。保持部材７１の両側板７１ａの内側面には、前述の実施形態と同様に、鉛直方向に形成された保持部６０が互いに対向するように形成されており、さらに、本体基部５の前面側から背面側に向かって形成された溝形状のスライドレール７３も互いに対向するように形成されている。スライドレール７３は、図に示すように、上方に膨らんだ円弧形状（弓形板状）をしている。スライドレール７３には、ローラ５７が配置されており、ローラ５７の回転軸５７ａは縁枠５１に設けられた軸受６３に回転自在に挿入されている。なお、保持部材７１も前述の保持板５６と同様に本体基部５の前方に突出した第１位置と、後方に突出した第２位置の間で移動自在である。また、保持部材７１を略コの字形状にしたが、これに限るものではない。
【００２４】
図８（Ａ）に示すように、保持部材７１が第１位置にある場合には、弓形板状に形成されたスライドレール７３によって、保持部材７１は上面を斜め上方に傾けた状態となる。これにより、保持部６０に窓枠ユニット６の挿入部材２１を挿入させる際には、遊技領域２６が斜め下方向を向くように窓枠ユニット６を傾斜させた状態で挿入部材２１を保持部６０に挿入する。これにより、窓枠ユニット６を保持部材７１に保持させる際の作業性が向上し、作業者への負担が少なくなる。  
【００２５】
次に、図８（Ｂ）に示すように、窓枠ユニット６を本体基部５内に押し込んでいくと、保持部材７１はスライドレール７３に沿って第１位置から第２位置に向かってスライド移動を行う。この時に、遊技領域２６を斜め下方に向けていた窓枠ユニット６は、次第に遊技領域２６を正面に向けるような起立状態となる。
【００２６】
図８（Ｃ）に示すように、保持部材７１が第２位置までスライド移動されると、窓枠ユニット６は遊技領域２６を正面に向けた起立状態で収容部５０に収容される。この時、支持部材１５と遊技盤１７に設けられた係止穴５２に、収容部５０に設けられた係止部材５３を係止させることで、窓枠ユニット６は本体基部５に固定される。
【００２７】
なお、第２の実施形態では、窓枠ユニット６を本体基部５に固定させる場合を説明したが、窓枠ユニット６を本体基部５から外す場合は、窓枠ユニット６を固定した手順を逆に行うことで容易に取り外しが行える。
【００２８】
なお、第１の実施形態では、スライド装置５５に保持板５６を第２位置から第１位置に向かって付勢する付勢部材（捩りバネ５８）を設けたが、必ずしも付勢部材を設ける必要はない。この場合には、保持板５６を第１位置と第２位置に容易にスライド移動させるために、窓枠ユニット６又は保持板５６に取手などを設けることが好ましい。
【００２９】
また、付勢部材の代わりに、モータやエアシリンダなどを設けて自動的に保持部材を第１位置と第２位置の間で移動させてもよい。例えば、モータをスライド装置５５に設けた場合には、保持板５６が第１位置から第２位置までスライド移動できるようなギアを保持板５６に設ける。そして、モータの回転軸に取り付けられたギアと嵌合させて、モータを正転、逆転操作することによって保持板５６を第１位置と第２位置へスライド移動させてもよい。これにより、作業者への負担が減り、かつ作業性がより向上する。
【図面の簡単な説明】
【００３０】
【図１】本発明を用いたパチンコ機の外観斜視図である。
【図２】窓枠ユニットの構成を示す分解斜視図である。
【図３】本体基部の構成を示す外観斜視図である。
【図４】スライド装置の構成を示す斜視図である。
【図５】第１位置で保持板に窓枠ユニットを保持させた際の説明図である。
【図６】窓枠ユニットを本体基部に固定させた際の説明図である。
【図７】第２の実施形態における保持部材の構成を示す斜視図である。
【図８】第２の実施形態における窓枠ユニットを本体基部に固定する際の説明図である。
【符号の説明】
【００３１】
２  パチンコ機（遊技機）
５  本体基部
６  窓枠ユニット
１５  支持部材
１６  窓枠
１７  遊技盤
２１  挿入部材
２６  遊技領域
５２  係止穴
５３  係止爪（固定手段）
５６  保持板（保持部材）
５８  捩りバネ（付勢部材）
６０  保持部
７１  保持部材
【図１】
2006034713.tif 000003
【図２】
2006034713.tif 000004
【図３】
2006034713.tif 000005
【図４】
2006034713.tif 000006
【図５】
2006034713.tif 000007
【図６】
2006034713.tif 000008
【図７】
2006034713.tif 000009
【図８】
2006034713.tif 000010